(57)【要約】【課題】      スポーツ靴の全容積を寸法に応じてユーザの足に最適に適合させる。    【解決手段】  踵ユニット（５）と別個の爪先ユニット（６）とに分割されたシェル（３）が結合されるソール（２）を備えたスポーツ靴。踵ユニットおよび爪先ユニットは、ほぼ長手方向軸線に沿って滑動可能に相互に結合され、また、爪先ユニットの前方移動によってスポーツ靴の全容積を増大させる調整装置（９ａ、９ｂ、１０ａ、１０ｂ）を備えている。【選択図】      図１
2004188195.tif 000002
【特許請求の範囲】
【請求項１】
ソールと、
前記ソールに一体に結合され且つ踵ユニットおよび別個の爪先ユニットを含む上方シェルと、
前記踵ユニットに対して前記爪先ユニットを前方に移動させることによりスポーツ靴の全容積を増大させる調整手段と
を備えることを特徴とするスポーツ靴。
【請求項２】
前記スポーツ靴の全容積を増大させる調整手段は、前記爪先ユニットの前方移動の結果として前記踵ユニットの幅を増大させることを特徴とする請求項１に記載のスポーツ靴。
【請求項３】
前記スポーツ靴の全容積を増大させる調整手段は、前記爪先ユニットの第１下面に形成された少なくとも一対の第１スロットと、前記踵ユニットの第２下面から上方へ突出する少なくとも２つの突起を備え、前記第１スロットは、爪先領域に向かって互いに広がる方向に沿って前記爪先ユニットの前記下面に形成されると共に前記少なくとも２つの突起を滑動可能に収容するようになっていることを特徴とする請求項１に記載のスポーツ靴。
【請求項４】
前記爪先ユニットは少なくとも一つのスリットを有し、前記少なくとも一つのスリットは、少なくとも、前記爪先ユニットと前記踵ユニットとが重なり合う領域で延在するように、前記第１下面のほぼ長手方向中央軸線に沿って形成されることを特徴とする請求項３に記載のスポーツ靴。
【請求項５】
前記スポーツ靴の全容積を増大させる調整手段は、前記爪先ユニットの前記第１下面上の前記スリットにより形成される２つの平坦ウイングを備え、前記平坦ウイングは前記爪先領域の近傍に接続され、前記スロットの対の各一方は前記２つのウイングの各一方に形成されることを特徴とする請求項４に記載のスポーツ靴。
【請求項６】
前記スリットはほぼ楔形状であり、前記第１下面の後縁から前記第１下面の爪先領域まで延びることを特徴とする請求項５に記載のスポーツ靴。
【請求項７】
前記第１スロットは前記下面に傾きをもって設けられ、前記傾きは、前記爪先ユニットが前方に移動されるときに前記踵ユニットの幅を漸増可能とすることを特徴とする請求項５に記載のスポーツ靴。
【請求項８】
前記ウイングの対は、前記２つの突起に対する前記２つの第１スロットの相対移動により離開するようになっていることを特徴とする請求項７に記載のスポーツ靴。
【請求項９】
前記スポーツ靴の全容量を増大する調整手段は、前記踵ユニットの下面に形成された少なくとも２つの第１スロットと該第１スロットで滑り係合可能な少なくとも２つの突起とを備え、前記突起は前記爪先ユニットの下面から下方へ突出し、また、前記第１スロットは、爪先領域に向かって相互に広がる方向に沿って前記踵ユニットの前記下面に設けられることを特徴とする請求項１に記載のスポーツ靴。
【請求項１０】
スキー靴またはスケート靴であることを特徴とする請求項１に記載のスポーツ靴。
【発明の詳細な説明】
【技術分野】
【０００１】
本発明は、例えばスキー靴、ローラースケートまたはアイススケートなどのスポーツ靴に関する。
【背景技術】
【０００２】
種々のスポーツ靴が現在使用されており、通常、スポーツ靴にはソールが設けられ、また、ユーザの足を収容する剛性または半剛性のシェルが、ソールの上方領域に結合されている。
そして、クオータが踝領域で典型的には回転可能に結合されており、少なくとも脚の下方部分を囲んでいる。
【０００３】
スポーツ靴によっては、シェルを踵ユニットと別個の爪先ユニットとに分割して靴の長さを調整可能にしたものがある。
例えば、特許文献１が公知であり、同文献に開示されたスキー靴は２つの別個の部品から構成されたシェルを備え、両部品は長手方向軸線に沿って互いに滑動可能になっている。
【０００４】
２つの部品すなわちシェルの踵ユニットと爪先ユニットとの滑り連結を、上方中足骨領域の近傍で、爪先ユニット縁部から後方に延びる延長部によって確実なものとし、踵ユニットの前縁近くに設けた相補形状の座において滑り相互作用させるようにしている。
爪先ユニットおよび踵ユニットの下面におけるユニット相互の滑り連結は、踵ユニットの下面から上方に突出する３つのピンを、爪先ユニットの下面に長手方向にそれぞれ設けたスロットに配置することにより達成される。
【０００５】
この様に、踵ユニットに対して爪先ユニットを前方に移動させることにより、靴の長さをその分増大させることができる。
この種のスポーツ靴の主たる欠点は、靴寸法を長手方向にのみ変化可能である点にある。
寸法の大きい靴は全容量が大きいので、長さが長いことはもとより長さ方向および幅方向の双方に大きくなる。
【０００６】
上記タイプのスポーツ靴の重大な欠点は、設定寸法と足の寸法が同一であるユーザにのみ快適にフィットするに過ぎないという点にある。
別の重大な欠点は、例えば中足骨領域できつ過ぎるスポーツ靴を長期に使用すると、血液の循環が悪化して足の暖かさが維持されにくくなることである。
一般に、上述した公知の靴は、ユーザ固有の足形状に合わせることが困難であって、特定寸法のみで快適に使用可能であり、同一の靴に寸法の異なる足をフィットさせることができない。
【特許文献１】スイス特許第６１１４９５号明細書
【発明の開示】
【発明が解決しようとする課題】
【０００７】
本発明の主たる目的は、靴の全容積を寸法に応じてユーザの足に最適に適合可能なスポーツ靴を提供し、これにより、上記の問題点を解決して上記従来技術の欠点を解消することにある。
上記主たる目的の範囲内で、本発明の目的は、ユーザの足の寸法がスポーツ靴がカバーする寸法範囲内にあれば、足の寸法にかかわらず、ユーザの快適さを最大限確保可能なスポーツ靴を提供することにある。
【０００８】
本発明の別の目的は、最適な血液循環が可能なように足を包囲して、ユーザが最良の身体条件でスポーツを行えるようなスポーツ靴を提供することにある。
本発明の別の目的は、構造が簡易で製造コストが低廉なスポーツ靴を提供することにある。
【課題を解決するための手段】
【０００９】
上記の目的および以下からより明らかになる別の目的は、踵ユニットと別個の爪先ユニットとに分割された上方シェルに堅固に関連づけられたソールを備えるスポーツ靴により達成され、このスポーツ靴は、前記爪先ユニットの前方移動により前記スポーツ靴の全容積を増大させる調整手段を備えることを特徴とする。
本発明の更なる特徴および利点は、添付図面に非限定的な例として図示された本発明によるスポーツ靴の実施形態の詳細な説明から明らかになるであろう。
【発明を実施するための最良の形態】
【００１０】
以下に実施形態を幾つか示すが、特定の実施形態の個々の特徴は、その他の実施態様の異なる特徴と相互交換可能である。
添付図面を参照すると、参照符号１は、例えばスキー靴などのスポーツ靴を表す。
スポーツ靴１は、上方シェル３に一体に結合されたソール２を備え、ほぼ踝領域においてクオータ４が上方シェルに回転可能に結合され、クオータはユーザの足の下方部分を包囲している。
【００１１】
図示した実施形態において、シェル３は、踵ユニット５と別個の爪先ユニット６とに分割され、両ユニットの一部は足のほぼ中骨足領域で互いに重なり合っている。
爪先ユニット６は、後部が開口し且つユーザの足の爪先を包囲する箱状体から構成され、この爪先ユニットは第１下面７を有し、第１下面には、ほぼ楔形状のスリット８がほぼ長手方向中央軸線に沿って設けられている。
【００１２】
スリット８は、少なくとも、爪先ユニット６と踵ユニット５とが重なりあう領域に影響を及ぼす。すなわち、同スリットは両ユニットが重なる領域で延びており、好ましくは、第１下面７の後縁と第１下面の爪先領域との間にある。
この様に、第１下面７において、スリット８は２つの平坦ウイング９ａ、９ｂを形成し、両ウイングは爪先領域の近傍で互いに接続している。
【００１３】
２つの第１スロットをそれぞれ参照符号１０ａ、１０ｂで示すが、両スロットは２つのウイング９ａ、９ｂに設けられ、爪先領域に向かって広がる２つの方向に沿って形成されている。
２つの突起１１ａ、１１ｂを２つのスロット１０ａ、１０ｂに配設可能であり、両突起は、踵ユニット５の参照符号１２で示す第２下面から上方に突出している。
【００１４】
爪先領域の近傍には、２つの第２及び第３スロット１３、１４が設けられ、両スロットはそれぞれ第１下面７及び第２下面１２に形成されている。
スロット１３、１４は、スポーツ靴の長手方向中央軸に略平行な軸線に沿って設けられ、対をなして互いに重なりあい、ソール２に形成され且つ参照符号１５で一般的に示す２つの孔に下方領域で接続されている。
【００１５】
特に、図１に示した例では、孔１５は標準化された爪先ブロック１６に略直角に形成され、爪先ブロックは、爪先ユニット６の下方領域に結合されている。
第２スロット１３は、例えば図示しないネジ付きナットなどを支持する周辺タング１３ａを下方領域に有している。ネジ付きナットは、孔１５と同軸配置された図示しない相補的なネジと相互作用するのに好適する。
【００１６】
ナットおよびネジの頭部は、爪先ブロック１６の下方領域に形成された凹部１７に当接し、踵ユニット５と爪先ユニット６の相互の滑動を一時的にロックする手段を構成している。
この様に、第１スロット１０ａ、１０ｂ及び第２、第３スロット１３、１４は、それぞれ突起１１ａ、１１ｂおよびネジの軸部と相互作用することにより、爪先ユニット６と踵ユニット５の相互の係合および滑動のための要素を構成している。
【００１７】
同時に、第１スロット１０ａ、１０ｂに設けられた傾きならびにスリット８の存在により、爪先ユニット６が前方に移動する際、踵ユニット５の幅を漸増可能である。
図２及び図３は、スポーツ靴１の、最小及び最大寸法である２つの極限位置を図示している。両図が示すように、一対のウイング９ａ、９ｂの離開により、少なくとも爪先ユニット６と重なる領域の近傍では、踵ユニット５の弾性変形可能な両側が同様に強制的に離開することになる。
【００１８】
従って、第１スロット１０ａ、１０ｂは、踵ユニット５に関して爪先ユニット６を前方に移動させることによりスポーツ靴の全容積を可変する調整手段を、２つのウイング９ａ、９ｂと共に構成している。
スポーツ靴は次のように使用される。図１を参照すると、サイズ調整を行うため、ユーザは、図示しないロックネジをゆるめることによりロックネジに作用を加え、踵ユニットと爪先ユニットとを相互に滑動可能にする。
【００１９】
この滑動中、第１スロットに沿う突起の移動に伴って、爪先ユニットの下面の２つのウイングが相互に離開または接近し、従って、スポーツ靴の幅が変化する。
このように、スポーツ靴を長くするとこれに比例して幅が広がる。逆も同様である。
選択調整の実行が完了すると、ユーザはネジをナットに再度締め付けることができる。
以上のように、本発明が企図した目的を達成可能であることが分かり、また、寸法変化に応じてユーザの足に最適に適合可能なスポーツ靴が創案されたことが分かる。
【００２０】
実際、本発明は、スポーツ靴の長さおよび幅の双方を全容積が変化するように同時に調整可能であり、選択した寸法にかかわらずユーザにとっての快適条件を確実なものにする。
従って、このスポーツ靴は、血液循環を最適化可能であり、ユーザは常に最良の身体条件でスキーをすることが可能になる。
【００２１】
調整は簡単且つ迅速に行われる。また、踵ユニット及び爪先ユニットの相互係合・滑動用の要素による調整を視覚化する目盛付き装置を随意に結合することも可能である。
勿論、本発明は種々に変形可能であり、全ての変形例は特許請求の範囲内に入る。
例えば、踵ユニット５の下面７に第１スロット１０ａ、１０ｂを設けると共に爪先ユニット６下面の下方に突起１１ａ、１１ｂを突出させたスポーツ靴を提供することができる。
【００２２】
第１スロットを設ける代わりに、踵ユニットの下面に爪先領域に向かって広がる一対のスロットを設けることができる。
別の実施例では、爪先ユニットの下面に沿って２つ以上のスリットが設けられる。代わりに、少なくとも一部が弾性変形可能な材料からなる下面を有した爪先ユニットを提供することもできる。
【００２３】
本発明の個々の部品を構成するための使用材料や寸法は、勿論、特定の要件に従ってより適切なものにすることができる。
異なる機能を達成するための上述の各種手段は図示した態様のみに兼ね備えられるものではなく、別の実施態様においても寸法適合対策と共に備えることができる。
【図面の簡単な説明】
【００２４】
【図１】本発明のスポーツ靴の実施形態の一部断面側面図である。
【図２】寸法が小さくなるようにした場合における図１のスポーツ靴の一部断面平面図である。
【図３】寸法が大きくなるようにした場合における図１のスポーツ靴の一部断面平面図である。
【符号の説明】
【００２５】
１  スポーツ靴
２  ソール
３  上方シェル
４  クオータ
５  踵ユニット
６  爪先ユニット
７  第１下面
８  スリット
９ａ、９ｂ  平坦ウイング
１０ａ、１０ｂ  第１スロット
１１ａ、１１ｂ  突起
１２  第２下面
１３  第２スロット
１４  第３スロット
１５  孔
１６  爪先ブロック
１７  凹部
【図１】
2004188195.tif 000003
【図２】
2004188195.tif 000004
【図３】
2004188195.tif 000005